(57)【要約】【課題】  相補性である双安定表示機能とリフレッシュ式表示機能の制御方法を提供する。【解決手段】  本発明はリフレッシュ式高フレームレート表示器である第１表示器のビデオ信号を送り、第１表示器にビデオ信号を表示し、双安定低フレームレート表示器である第２表示器にビデオ信号のフレームをプリント処理する。プリント処理はビデオ信号の現行フレームの一部をフレームバッファにローディング処理し、ビデオ信号の現行フレームを第２表示器に表示し、双安定静止画像を第２表示器に表示させる。【選択図】  図１
2010504540.tif 000002
【特許請求の範囲】
【請求項１】
電子機器と共に使用する相補性のダブル表示器を制御する方法であって、
リフレッシュ式高フレームレート表示器である第１表示器のビデオ信号を送るステップと、
該第１表示器に前記ビデオ信号を表示するステップと、
双安定低フレームレート表示器である第２表示器に前記ビデオ信号のフレームをプリント処理するステップと、
を含んでおり、前記プリント処理は、
前記ビデオ信号の現行フレームの少なくとも一部をフレームバッファにローディング処理するステップと、
前記ビデオ信号の現行フレームを第２表示器に表示し、双安定静止画像を該第２表示器に表示させるステップと、
を含んでいることを特徴とする方法。
【請求項２】
プリント処理前にリフレッシュ式高フレームレート表示器で現行フレームの少なくとも一部を予告するステップをさらに含んでいることを特徴とする請求項１記載の方法。
【請求項３】
ローディング処理前にフレームバッファが満杯であるか否かを確認し、満杯であれば該フレームバッファから最古フレームを消去するステップをさらに含んでいることを特徴とする請求項１記載の方法。
【請求項４】
現行フレームを基準として複数の拡大ズームフレームと複数の縮小ズームフレームとで充填されているズームバッファをローディング処理するステップと、
第２表示器に表示するためにズームフレームを選択するステップと、
をさらに含んでいることを特徴とする請求項１記載の方法。
【請求項５】
複数のズームフレームは、
略４０％から６９％の範囲の第１ズームと、
略７０％から９９％の範囲の第２ズームと、
略１０１％から１７５％の範囲の第３ズームと、
略１７６％から３００％の範囲の第４ズームと、
を含んでいることを特徴とする請求項４記載の方法。
【請求項６】
第２表示器のためのパンコマンドに、
表示されたフレームが、該第２フレームに表示された複数の拡大ズームフレームの１つであるズームフレームであるか否かを確認するステップと、
前記表示されたフレームが、前記第２フレームに表示された複数の拡大ズームフレームの１つであるズームフレームであれば、前記パンコマンドに対応するズームフレームを表示するステップと、
さもなければ、第１表示器からパン処理されたページを選択し、該パン処理されたページを前記第２表示器にプリント処理するステップと、
をさらに含んでいることを特徴とする請求項５記載の方法。
【請求項７】
複合バッファに少なくとも１つの複合フレームをローディング処理するステップをさらに含んでおり、該少なくとも１つの複合フレームはフレームバッファに保存されている少なくとも２つのフレームの複合画像を表していることを特徴とする請求項１記載の方法。
【請求項８】
フレームバッファは少なくとも４つのフレームを保存するように設計されていることを特徴とする請求項１記載の方法。
【請求項９】
第１ユーザ入力に対応したサイクルダウンコマンドで第１表示器をサイクルダウン処理するステップと、
１サイクルダウン間隔後に前記第１表示器をサイクルダウン処理するステップと、
第２ユーザ入力に対応したサイクルアップコマンドで前記第１表示器をサイクルアップ処理するステップと、
を
さらに含んでいることを特徴とする請求項１記載の方法。
【請求項１０】
サイクルダウン間隔は略１秒から１０秒の範囲であることを特徴とする請求項９記載の方法。
【請求項１１】
第２表示器のためのページアップコマンドに、
直前のフレームがフレームバッファ内に存在するとき、該直前フレームを前記第２表示器に表示するステップと、
さもなければ第１表示器から前ページを選択し、該前ページを前記第２表示器にプリント処理するステップと、
をさらに含んでおり、
前記第２表示器のためのページダウンコマンドに、
直後のフレームが前記フレームバッファ内に存在するとき、該直後フレームを前記第２表示器に表示するステップと、
さもなければ第１表示器から後ページを選択し、該後ページを前記第２表示器にプリント処理するステップと、
をさらに含んでいることを特徴とする請求項１記載の方法。
【請求項１２】
第２表示器のためのフリップコマンドに、
現行フレームとは上下反対である現行フレームのフリップ処理フレームをフリップバッファにローディング処理するステップと、
前記第２表示器に前記フリップ処理フレームを表示するステップと、
をさらに含んでいることを特徴とする請求項１記載の方法。
【請求項１３】
第２表示器のためのクリーニングコマンドに、人工現象物が減少するように現行フレームをリフレッシュするステップをさらに含んでいることを特徴とする請求項１記載の方法。
【請求項１４】
リフレッシュに先立って現行フレームをクリーニング処理するステップをさらに含んでいることを特徴とする請求項１３記載の方法。
【請求項１５】
クリーニングコマンドは新規フレームが表示されるたびに実行されるよう設計されていることを特徴とする請求項１３記載の方法。
【請求項１６】
現行フレームは状況情報を含んでいることを特徴とする請求項１記載の方法。
【請求項１７】
状況情報は、電力情報、ネットワーク接続情報、信号強度情報、ユーザ形態情報、表示見張り情報、日付情報、時間情報、アプリケーション情報およびシステム情報から選択されることを特徴とする請求項１６記載の方法。
【請求項１８】
第２表示器のためのワイピングコマンドに、該第２表示器がブランクとなるように該第２表示器をワイピング処理するステップをさらに含んでいることを特徴とする請求項１記載の方法。
【請求項１９】
電子機器と共に使用する相補性のダブル表示器を制御する方法であって、
リフレッシュ式高フレームレート表示器である第１表示器の第１ビデオ信号を送るステップと、
該第１表示器に前記第１ビデオ信号を表示するステップと、
双安定低フレームレート表示器である第２表示器に第２ビデオ信号を送るステップと、
該第２表示器に低フレームレートで前記第２ビデオ信号を表示するステップと、
を含んでいることを特徴とする方法。
【請求項２０】
第２ビデオ信号は無線接続を介して送られることを特徴とする請求項１９記載の方法。
【請求項２１】
無線接続はＢｌｕｅｔｏｏｔｈ、８０２．１１ａ、８０１．１１ｂ、８０２．１１ｇ、２．４ＧＨｚ無線、ＩＲ無線、および超幅広周波数帯から選択されることを特徴とする請求項２０記載の方法。
【請求項２２】
第１ビデオ信号と第２ビデオ信号は共通アプリケーションに対応することを特徴とする請求項１９記載の方法。
【請求項２３】
第１ビデオ信号と第２ビデオ信号は共通アプリケーションの共通画面に対応することを特徴とする請求項２２記載の方法。
【請求項２４】
第１ビデオ信号と第２ビデオ信号は共通アプリケーションの異なる画面に対応することを特徴とする請求項２２記載の方法。
【請求項２５】
共通アプリケーションからの第１複数のコマンドは第１表示器と第２表示器からアクセスされることを特徴とする請求項２２記載の方法。
【請求項２６】
第１ビデオ信号は第１アプリケーションに対応し、第２ビデオ信号は第２アプリケーションに対応することを特徴とする請求項１９記載の方法。
【請求項２７】
第１アプリケーションからの第２複数のコマンドは第１表示器からアクセスされ、第２アプリケーションからの第３複数のコマンドは第２表示器からアクセスされることを特徴とする請求項２６記載の方法。
【請求項２８】
移動コマンドが実行されると、共通アプリケーションからの第１複数のコマンドの一部を第２表示器からのみアクセスするステップをさらに含んでいることを特徴とする請求項２３記載の方法。
【請求項２９】
第２表示のためのクリーニングコマンドに、人工減少物が減少するように現行フレームをリフレッシュするステップをさらに含んでいることを特徴とする請求項１９記載の方法。
【請求項３０】
リフレッシュに先立って現行フレームをクリーニング処理するステップをさらに含んでいることを特徴とする請求項２９記載の方法。
【請求項３１】
クリーニングコマンドは新規フレームが表示されるたびに実行されるように設計されていることを特徴とする請求項２９記載の方法。
【請求項３２】
第２表示のためのワイピングコマンドに、第２表示器がブランクとなるよう該第２表示器をワイピング処理するステップをさらに含んでいることを特徴とする請求項１９記載の方法。
【請求項３３】
第２ビデオ信号は状況情報を含んでいることを特徴とする請求項１９記載の方法。
【請求項３４】
状況情報は、電力情報、ネットワーク接続情報、信号強度情報、ユーザ形態情報、表示見張り情報、日付情報、時間情報、アプリケーション情報およびシステム情報から選択されることを特徴とする請求項３３記載の方法。
【請求項３５】
第１複数のコマンドの一部は、移動コマンド、ページングコマンド、ズームコマンド、セッション終了コマンド、サーチコマンド、クリアコマンド、および表示選択コマンドから選択されることを特徴とする請求項２８記載の方法。
【請求項３６】
第２表示器が電気機器に接続されているとき共通アプリケーションは第１表示器から制御可能であることを特徴とする請求項２２記載の方法。
【請求項３７】
第２表示器が電気機器に接続されているとき第１アプリケーションと第２アプリケーションは第１表示器から制御可能であることを特徴とする請求項２６記載の方法。
【請求項３８】
第１ビデオ信号は自動的に変換され、第１表示器の最良の第１表示色と最良の第１表示解像度とを提供し、第２ビデオ信号は自動的に変換され、第２表示器の最良の第２表示色と最良の第２表示解像度とを提供することを特徴とする請求項１９記載の方法。
【請求項３９】
第１ユーザ入力に対応したサイクルダウンコマンドで第１表示器をサイクルダウン処理するステップと、
１サイクルダウン間隔後に前記第１表示器をサイクルダウン処理するステップと、
第２ユーザ入力に対応したサイクルアップコマンドで前記第１表示器をサイクルアップ処理するステップと、
をさらに含んでいることを特徴とする請求項１９記載の方法。
【請求項４０】
サイクルダウン間隔は略１秒から１０秒の範囲であることを特徴とする請求項３９記載の方法。
【発明の詳細な説明】
【技術分野】
【０００１】
本発明は、相補性である双安定表示機能とリフレッシュ式表示機能の制御方法に関するものである。
【背景技術】
【０００２】
ウルトラモバイルＰＣ（ＵＭＰＣ）、ラップトップＰＣ、パーソナルデジタルアシステント（ＰＤＡ）、セル式携帯電話、携帯デジタルメディアプレーヤ、等々であるＬＣＤを使用した電子機器は現代技術社会ではユビキタスな存在になりつつある。これら機器はポケットまたは小型バッグに入れることができるほど小型サイズのフォームファクタで特殊機能性を提供する。これらのタイプの装置がこれほどの人気を博している少なくとも１つの理由は、便利なユーザインターフェースを提供する表示技術の相対的に小型であるフォームファクタが高機能で安価であるところまで進化したからである。事実、最も安価な携帯電子機器でさえ高フレームレートカラー表示機能を含んでいる。しかしながら従来の表示機能は弱点も併せ有していた。
【０００３】
典型的にはＰＤＡはユーザ選択情報を表示するリフレッシュ式高周波（ＲＥＨＦ）表示機能を含むことができる。ＲＥＨＦ表示機能の１例は液晶表示器（ＬＣＤ）である。ＬＣＤはスクリーン間の急速切り替え時または画面上のスクロール時に鮮明な画像を提供する高フレームレートを含んだ多くの望ましい特性を有している。しかしながら高画面リフレッシュレートを有した典型的な表示器は、これら表示器に必要なバックライトが周囲の照明条件によって悪影響を受けるために判読性が劣る。ユーザから眼精疲労が頻繁に報告されており、医学文献でも報告されている。ＵＭＰＣやＰＤＡのユーザは明るい照明や太陽光の下でのＬＣＤの判読性不良を承知している。ＬＣＤを判読するためには画面を陰にしたり、暗所へ移動させることが必要となるであろう。
【０００４】
ＬＣＤの弱点を克服するため、双安定低周波（ＢＩＬＦ）表示機能がＬＣＤの代わりに使用できるであろう。ＢＩＬＦ表示器の１例は電子ペーパ表示器（ＥＰＤ）である。ＥＰＤは電子インクと呼ばれる材料を利用しており、Ｅ ＩＮＫ（登録商標）の商品名で市販されている。ＥＰＤはその薄いフォームファクタと本質的な柔軟性のためにフレキシブルなディスプレーアプリケーションに理想的に適している。ＥＰＤは超低電力消費型であるが太陽光を含むどのような照明条件下であっても容易に判読させる画像安定反射表示技術を提供する。さらにＥＰＤは双安定表示機能を提供し、ＬＣＤとは異なってＥＰＤ上の画像はどの角度からでも同様に見える。さらにＥＰＤは触っても曲げても画像が歪まないためＥＰＤをフレキシブルな表示およびポータブル機器のための理想的な表示媒体としている。しかしＥＰＤは多くの場合に完全にはＬＣＤに成り代われない。その少なくとも１つの理由はＥＰＤが典型的に低フレームレートを有しているからである。上記のように従来のＬＣＤは典型的には高フレームレート用に設計されているので、特に複数の表示機能を通して急速にスクロール処理する際にユーザの鑑賞実感を向上させるように作用するであろう。加えてマウスポインタが画面上で滑らかに移動するようにマウスの使用には高フレームレートが必要である。さらに現在のところ、アプリケーションがＥＰＤのごときＢＩＬＦ表示機能のために書き込まれることは稀であるが、大部分の読み取りコンテンツはＬＣＤアプリケーションのごときＲＥＨＬディスプレーアプリケーションで鑑賞するように創られている。この傾向は持続するであろう。従ってＥＰＤのごときＢＩＬＦ表示機能で現存するＲＥＨＦディスプレーアプリケーションの出力を簡単に表示することは好都合であろう。
【０００５】
従って厳しい周囲照明条件を克服し、眼精疲労を低減させ、電池を長持ちさせる非常に読みやすい表示機能を提供する従来型ポータブル電子機器またはデスクトップ型ＰＣ表示機能に対して相補性である表示機能を提供することが望ましい。この方法および異種表示ハードウェアのデザインは多くの新規な種類のＥＰＤ利用モデルを提供できる。それらには（１）ユーザがＢＩＬＦ表示のページを、アプリケーションを変更することなくブラウジング処理できるさらに優れた判読実感を提供するためにＢＩＬＦ表示機能にＲＥＨＦ式のアプリケーションを送る（または移動させる）機能（本例ではＢＩＬＦ表示機能はシステムバスや外部装置を介して緩やかにリンクしたＲＥＨＦ表示機能と緊密に一体化することができる）、および（２）ＢＩＬＦ表示機能とＲＥＨＦ表示機能の両方の独特な利点を同時的に利用できるダブル表示認識アプリケーションを創出する機能が含まれる。これらの方法は、ファイル選択、ファイル移動および引き続くファイルオープン、さらに所望ページへのブラウジング処理である複数ステップを必要とする従来の“ファイルシンクロ”モデルを利用せずに２つの異種表示機能が関与する利用容易性を実行可能にする。よって相補性である双安定表示機能とリフレッシュ式表示機能の制御方法が提供される。
【０００６】
［関連出願］
本願は２００６年１１月２０日に出願された米国特許願１１／６０２５３９「相補性であるダブル表示機能の制御方法」の一部継続である。
【０００７】
本願は同時に出願された「相補性である双安定表示機能とリフレッシュ式表示機能を備えた電子機器」に関連する。
【０００８】
［仮出願優先権主張］
本願は２００６年９月２９日出願の米国仮特許願６０／８４８５３８、２００６年９月１４日出願の米国仮特許願６０／８４４９７９および２００６年１０月６日出願の米国仮特許願６０／８５００１３の優先権を主張する。
【発明の概要】
【０００９】
以下は本発明の基本的理解を助ける目的で提供された本発明の実施例の概要である。この概要は本発明の完全な説明ではない。ここでは本発明の重要で必須である要素を特定したり、本発明のスコープを説明することは意図されていない。この目的は後述する発明の詳細な説明の前置きとして本発明のいくつかの実施例を単純な形態で提供することである。
【００１０】
従って電子機器と共に利用するための相補的なダブル表示機能を制御する方法が提供される。この方法はビデオ信号を第１表示器に送るステップを含む。第１表示器はリフレッシュ式で高フレームレートの表示器である。さらに第１表示器にビデオ信号を表示し、ビデオ信号のフレームを第２表示器にプリントするステップが含まれる。第２表示器は双安定性で低フレームレートの表示器である。プリント処理はビデオ信号の現行フレームの一部をフレームバッファにローディング処理するステップと、高解像度の静止画像が第２表示器上に表示されるようにするために第２表示器にビデオ信号の現行フレームを表示させるステップとを含む。実施例によっては、方法はさらにズームバッファのローディング処理ステップを含む。このズームバッファには現行フレームに基づいたいくつかの拡大ズームフレームといくつかの縮小ズームフレームとが集積されている。さらに第２表示器に表示するためのズームフレームの選択ステップが含まれる。実施例によっては、方法はさらに第２表示器のためのパンコマンドに、表示されたフレームが拡張ズームフレームの１つである第２表示器に表示されたズームフレームであるか否かを確認するステップを含む。もし表示されたフレームが拡張ズームフレームの１つである第２表示器に表示されたズームフレームであれば、パンコマンドに対応するズームフレームを表示するステップも含まれる。さもなければ第１表示器からパン処理されたページを選択し、第２表示器にそのパン処理されたページをプリント処理するステップを含む。実施例によっては、方法は複合バッファに複合フレームをローディング処理するステップをさらに含む。この複合フレームはフレームバッファに保存された少なくとも２つのフレームの複合画像を表すものである。
【００１１】
他の実施例においては電子機器と共に使用する相補性であるダブル表示器を制御する方法は次のステップを含んでいる。すなわち、リフレッシュ式の高フレームレート表示器である第１表示器に第１ビデオ信号を送るステップと、第１表示器に第１ビデオ信号を表示するステップと、双安定低フレームレート表示器に第２ビデオ信号を送るステップと、低フレームレートにて第２表示器上に第２ビデオ信号を表示するステップとである。実施例によっては第２ビデオ信号は読み取りカードによって外部の第２表示器へ無線接続を介して送られる。この読み取りカードはページアップ／ページダウンコマンドを返信し、第１表示器の機器に存在するアプリケーションからのコンテンツを読み取る。実施例によってはこの方法はさらに第２表示器のためのクリーニングコマンドに、人工現象物が減少するよう現行フレームをリフレッシュするステップを含む。実施例によっては第２表示器のためのワイピングコマンドに、第２表示器がブランクとなるよう第２表示器をワイピングするステップを含む。実施例によっては、第２ビデオ信号は現況情報を含む。この現況情報は電力情報、ネットワーク接続情報、信号強度情報、ユーザ形態情報、表示見張り情報、日付情報、時間情報、アプリケーション情報およびシステム情報から選択されるものである。
【図面の簡単な説明】
【００１２】
本発明は添付の図面を利用して本発明の例示としてのみ解説されている。本発明の限定は意図されていない。
【００１３】
【図１】図１は本発明の実施例による双安定低周波（ＢＩＬＦ）表示器にプリント処理するステップのフローチャートである。
【図２】図２は本発明の実施例によるＢＩＬＦ表示器とＲＥＨＦ表示器との間で表示機能を移動させるステップのフローチャートである。
【図３】図３は本発明の実施例による複数ズームとズームバッファとを図示する。
【図４】図４は本発明の実施例によるＢＩＬＦ表示器上でのズームステップのフローチャートである。
【図５】図５は本発明の実施例によるＢＩＬＦ表示器上でのパンステップのフローチャートである。
【図６】図６は本発明の実施例によるＢＩＬＦ表示器上でのページアップダウンステップのフローチャートである。
【図７】図７は本発明の実施例によるＢＩＬＦ表示器上での画像フリッピングステップのフローチャートである。
【図８】図８は本発明の実施例による複数の人工現象物を有した電子ペーパ表示器（ＥＤＰ）の一部を図示する。
【図９】図９は本発明の実施例によるＢＩＬＦ表示器上での人工現象物クリーニングステップのフローチャートである。
【図１０】図１０は本発明の実施例によるＢＩＬＦ表示器に関して利用されているＲＥＨＦ表示器のサイクルステップのフローチャートである。
【発明を実施するための形態】
【００１４】
添付図面を利用して本発明を詳細に説明する。以下では本発明の完全な理解を助けるために多数の特定細部が記載されている。しかし本発明はそれら細部の一部または全部を省略しても実施が可能である。また知られたステップや構造は説明の簡略のために省略されていることがある。
【００１５】
本発明の方法と技術を含んだ様々な実施例が以下で解説されている。本発明は本発明を実施させるコンピュータ読取可能なインストラクションが記録されているコンピュータ読取可能媒体を含む製品も発明の範囲内である。コンピュータ読取可能媒体にはコンピュータ読取可能なコードを保存するための半導体、磁性、光磁性、光学または他の形態のコンピュータ読取可能な媒体が含まれる。さらに本発明は本発明の実施例を実行するための装置も含む。このような装置は本発明の実施例を実行するための専用及び／又はプログラム可能回路を含む。このような装置の例には汎用コンピュータ及び／又は好適にプログラム化された専用コンピュータ、並びにコンピュータ／計算装置と本発明の実施例に関する様々な仕事用にデザインされた専用／プログラム可能回路との組み合わせも含まれる。
【００１６】
図１は本発明の実施例による双安定低周波（ＢＩＬＦ）表示器へのプリントステップのフローチャートである。第１ステップ１０２でＢＩＬＦ表示器へのプリント処理がリクエストされているか否かを確認する。典型的にはダブル表示システムではＲＥＨＦ表示器（すなわちＬＣＤ）がユーザインターフェースのナビゲーションに利用される。上述したように高フレームレートは、画面間を高速ナビゲーションするとき、または画面をスクロールするとき、上質な鑑賞実感を提供する。一方、低フレームレートはそれほど上質な鑑賞実感を提供しないであろう。よって発明方法は初期条件としてＢＩＬＦ表示器へのプリント処理がリクエストされるときＲＥＨＦ表示器が利用状態であると想定する。もしステップ１０２でプリント処理がリクエストされなければ方法はここで終了する。ステップ１０２でプリント処理がリクエストされれば方法はステップ１０４に移り、エリア選択が所望されるか否かを確認する。理解されようがユーザはＲＥＨＦ表示器に現行表示画像の一部のみをプリント処理することを望むかも知れない。よって実施例によっては、ユーザはＢＩＬＦ表示器にプリント処理するために表示画像の一部を選択できる。もしステップ１０４でエリア選択が所望されれば方法はステップ１０６に進み、プリント処理のためのエリアを選択し、ステップ１０８に移る。もしステップ１０４でエリア選択が所望されると方法はステップ１０８に移り、フレームバッファが満杯であるか否かを確認する。
【００１７】
実施例によっては現在プリントされているフレームまたは過去にプリントされたフレームの保存にフレームバッファを利用できる。当分野ではフレームバッファは一般的に良く知られており、本発明の範囲から逸脱せずに限定条件なく利用可能である。１実施例ではフレームバッファは少なくとも４フレーム、好適には５から１０フレーム、さらに好適には１０フレーム以上を保存するようにデザインされている。フレームは双安定静止画像を表す。保存されたフレーム数は記憶容量の関数である。すなわち実施例によっては本発明の範囲内でこれより多くの数のフレームが保存できる。もしステップ１０８でフレームバッファが満杯であると確認されると、そのフレームバッファ内の最古のフレームはステップ１１０で排除される。よって実施例によっては、フレームバッファは純粋順番形態（ＦＩＦＯ）”のバッファとしてデザインされる。その後に発明方法はステップ１１２に移る。ステップ１０８でフレームバッファが満杯ではないと確認されたら方法はステップ１１２に移り、フレームバッファ内に選択画像をローディング処理する。その後に方法はステップ１１４でズームバッファを充填する。ズームバッファは図３と図４を利用して以下で詳細に説明する。
【００１８】
ステップ１１６で複合バッファが充填される。複合バッファはユーザに対してフレームバッファ内に何が存在するかの情報を提供するように利用される。フレームバッファに保存された少なくとも最後の２フレームの複合画像を表す画像が複合バッファ内にローディング可能である。ＢＩＬＦ表示器にプリント処理するために新規画像が選択されるたびに、新規複合画像が複合バッファ内にローディング可能である。理解されようが、もしフレームバッファが５以上の画像を含んでいるなら、実施例によっては複合バッファを他の複合画像で充填させるのにさらに多くの画像が利用可能である。よってフレームバッファの少なくとも一部は本発明の範囲内で複合画像によって表される。
【００１９】
ステップ１１６で複合バッファが充填されるとステップ１１８に移り、ステップ１１２でフレームバッファ内にローディング処理されたフレームを表示する。方法はこれで終了する。フローチャート１００で想定されているようにＢＩＬＦ表示器にプリント処理することはＲＥＨＦ表示器に以前に表示され、継続して表示されているＢＩＬＦ表示器に表示される高静止画像となることは理解されよう。その後にユーザはＢＩＬＦ表示器に双安定静止画像を維持しつつ、ＲＥＨＦ表示器でナビゲーションすることができる。実施例によっては、ユーザはＢＩＬＦ表示器とＲＥＨＦ表示器との間でアプリケーションの交換を願うであろう。よって移動は画面全体またはＢＩＬＦとＲＥＨＦの間でアプリケーションフォーカスの交換を提供することができる。
【００２０】
図２は本発明の実施例によるＢＩＬＦ表示器とＲＥＨＦ表示器との間での表示機能の移動ステップのフローチャート２００である。ステップ２０２でアプリケーションはＲＥＨＦ表示器上に表示されている。ステップ２０４でＢＩＨＦ表示器へのアプリケーションの移動が必要であるか否かが確認される。よって典型的にはユーザはＲＥＨＦ表示器上でアプリケーションをナビゲーションすることを希望するかも知れないが、例えばアプリケーションの判読のごとくＢＩＬＦ表示器上でアプリケーションのナビゲーションが望まれる場合があろう。ＲＥＨＦタイプのアプリケーションの双安定表示器への移動は読み取り実感を向上させ、移動後に双安定表示器でユーザにページ判読をブラウジング処理させる機能を提供する。もしステップ２０４で移動が不要であると確認されたら、方法はステップ２０２に進行してＲＥＨＦ表示器でアプリケーションの表示を継続する。ステップ２０４で移動が必要であると確認されたら、方法はＢＩＬＦ表示器がパワーオンであるか否かを確認する。ステップ２０６でＢＩＬＦ表示器がパワーオンではないと確認されたら、ステップ２０８で方法はＢＩＬＦ表示器をパワーオンにする。方法はステップ２１０に進行し、ＲＥＨＦ表示器のビデオ信号をＢＩＬＦ表示器のビデオ信号に変換する。実施例によってはＢＩＬＦ表示器に送る前にＲＥＨＦ表示器上に予告画面が表示される。理解されようが、解像度、色彩およびフレームレートの相違はＢＩＬＦ表示器に信号が移動される前に解消しなければならない。本発明から逸脱せずに知られたいかなる数の変換方法でも利用できる。理解されようが、本発明の範囲内で知られたいかなる方法にてもビデオ信号をＢＩＬＦに送ることができる。よって実施例によっては、無線接続はＰＣＭＣＩＡ、ＳＤＩＯ、ＵＢＳ、ＳＥＲＩＡＬおよびＤＶＩを含む。他の実施例では無線接続はＢＬＵＥＴＯＯＴＨ、８０２．１１ａ、８０１．１１ｂ、８０２．１１ｇ、２．４ＧＨｚ無線、ＩＲ無線、および超幅広帯域を含む。
【００２１】
２つの相補性である表示器間でアプリケーション移動と画面シンクロとを採用する実施例を説明するため、以下のステップは、ＬＣＤで設計され、ブルーツースリンクでＥＰＤ機器と接続されたスマートフォンを含む利用モデルを説明している。これら両方の表示器は類似解像度で設計されているが、ＬＣＤはカラーで、ＥＰＤ機器はモノクロである。
【００２２】
ステップ１：電話で判読アプリケーション（マイクロソフトウィンドウズ（登録商標）モバイルＷＯＲＤ等）を開始する。この条件にてアプリケーションは第１読み取りページをスマートフォン上に表示し、ＥＰＤ装置はブランク状態にする。
【００２３】
ステップ２：スクリーン-シンクロセッションを開始するためにスマートフォン側でキー（移動コマンドにマッピング）を押す。移動でＥＰＤ装置をオン状態にし、モノクロでＥＰＤ機器上に第１読み取りページを表示する。実施例によっては機器タイプを検出すると最良表示色と最良表示解像度が自動的に提供される。実施例によっては、スマート-フォンはバッテリ電力を節約するためにスタンバイモードとなる。
【００２４】
ステップ３：ページアップダウンのためにＥＰＤ機器上でキー（ページネーションコマンドにマッピング）を押す。ＥＰＤ上でのページングはスマートフォン機器で運用されているＷＯＲＤアプリケーションの新規にナビゲーションされたページを表示する。ＥＰＤ上でページングが実行されるとスマートフォンＬＣＤは直ちにシンクロできる（ＬＣＤがオフの状態でスマートフォンがスタンバイモードであるなら新規にナビゲーションされたページは表示されないかもしれない）。ページを異なるフォントサイズにズーム処理することはズームコマンドにマッピングされたキーを介してＥＰＤ機器上で達成できる。
【００２５】
ステップ４：次のストリングを求めて検索するためにキー（サーチコマンドにマッピング）を押す。サーチ能力を有したスマートフォンではテキストストリングのサーチはＬＣＤスマートフォン側で達成できる。テキストストリングが発見されると、特定ストリングの第１出現情報を含んだ新規ページがＬＣＤに表示できる。ＥＰＤ機器は数秒で同一ページにシンクロできる。読み取りはＥＰＤ機器で再開できる。
【００２６】
ステップ５：ＥＰＤ機器側でスクリーン-シンクロを終了し、読み取り活動を終了させるためにキー（セッション終了コマンドにマッピング）を押す。スマートフォンは終了セッションコマンドを実行する前にＥＰＤ機器の最後にブラウジング処理されたページを維持する。
【００２７】
オプション形態：実施例によっては、もしスマートフォンが集積ＥＰＤ表示器を含んでいれば、移動と画面シンクロ操作はスマートフォンＬＣＤと集積ＥＰＤ表示器との間で発生可能である。すなわちスマートフォンはその相補性の表示器である２つのＥＰＤ表示器の１つを選択できる。上記の例はアプリケーションのメインストリームにおけるＥＰＤ読み取りの利点を利用するように設計されている方法を解説している。さらに実施例によってはＬＣＤ表示器とＥＰＤ表示器の両方の存在を認識するように設計されているアプリケーションが各表示器上で同一アプリケーションの異なるコンテンツを表示できるであろう。よって例えばＬＣＤが選択され、例えば聖書の内容の表を表示するように選択でき、ＥＰＤはジョンの本を表示するように選択できる。１アプリケーションの読み取りセッションにおける複数の任務も１以上のＥＰＤを利用して可能であり、ＬＣＤは表示選択コマンドにマッピングされたキーを選択的に押すことでそれぞれがアプリケーションコマンドに対するアクセスを提供する別のアプリケーションを運用する。従って本発明の範囲内にて解説されている多くの形態が実行できる。
【００２８】
次のステップ２１２では特定ＢＩＬＦ表示器の表示レートに対応するレートでＢＩＬＦ表示を表示し、リフレッシュする。理解されようが、ＢＩＬＦ表示器へのプリント処理とは異なり、ＢＩＬＦ表示器への移動は、アプリケーションがそこからナビゲーションされる表示を提供する。すなわち本発明の方法を利用することでＢＩＬＦ表示器は通常のＲＥＨＦ表示器に類似した目的で利用される。１実施例ではＲＥＨＦ表示器とＢＩＬＦ表示器に送られた信号は共通のアプリケーションに対応することができる。実施例によっては。ビデオ信号は共通のアプリケーション内で共通画面または異なる画面と対応することができる。さらに実施例によっては、画面コマンドまたはメニューがＲＥＨＦ表示器またはＢＩＬＦ表示器のいずれかからアクセスできる。さらに実施例によってはＲＥＨＦ表示器およびＢＩＬＦ表示器に送られたビデオ信号は異なるアプリケーションと対応することができる。よって実施例によっては、ユーザはほぼ同時的にＲＥＨＦ表示器とＢＩＬＦ表示器の１以上のアプリケーションをナビゲーションできる。
【００２９】
図３は本発明の実施例によるいくつかのズーム（３０４、３０６、３０８、３１０）とズームバッファ３２０とを図示する。図示のように通常図３０２はどの数のズームでも収めることができるようにサイズ変更できる。フローチャート１００（図１）で示すように画像をＢＩＬＦ表示器にプリント処理するにはこの方法のズーミングが適当であることは理解されよう。よって実施例によっては、第１ズーム３０４は鑑賞のために通常サイズにズーミングできる４画像を含み、第２ズーム３０６は鑑賞のために通常サイズにズーミングできる９画像を含み、第３ズーム３０８は縮小画像を含み、第４ズームはさらに縮小した画像を含むことができる。ズームは本発明範囲内で約４０％から６９％、７０％から９９％、１０１％から１７５％、１７６％から３００％の範囲を含むことができる。理解されようが図示されているズームは本発明の実施例の理解を助けるために提供されている。よって本発明の範囲内で他のズームであっても利用が可能である。
【００３０】
ズームバッファ３２０は全ズームフレームの保存に利用できる。１実施例ではズームバッファは少なくとも１５ズームフレームを保存するように設計できる。実施例によっては、ズームバッファは１６以上のズームを保存するように設計できる。理解されようが保存されたズームフレーム数は画像の解像度と保存容量に直接的に関係する。実施例によっては、ズームフレームはズームバッファにローディング処理される順序で連続的に表示される。他の実施例ではズームフレームは非連続的に表示できる。よってズームフレームにアクセスするどのような方法でも全て本発明の範囲内で利用できる。
【００３１】
図４は本発明の実施例によるＢＩＬＦ表示器のズーミングのためのフローチャート４００である。前述のように画像がＢＩＬＦ表示器にプリント処理されると画像は双安定静止画像となる。すなわちプリント処理するとき画像は瞬時に捕獲され、ユーザが更新するまで更新されない。よってズーミングにはこの特徴に適した特殊な取り扱いを必要とする。ステップ４０２で画像はＢＩＬＦ表示器に表示される。続くステップ４０４でズーミングが必要であるか否かが確認される。ズーミングは本発明の範囲内でユーザによっていかなる知られた方法によっても実行可能である。例えば１実施例では物理的インターフェースまたはバーチャルインターフェースで具現化されたズームボタンがズーム入力を提供する。ステップ４０４でズーミングが不要であると確認されたら、そこで方法は終了する。ステップ４０４でページングが必要であると確認されたら方法はステップ４０６でＢＩＬＦ表示器が移動モードであるか否かを確認する。移動に関しては図２に関して詳細に前述されている。ＢＩＬＦ表示器が移動モードであるときには表示されたアプリケーションはＢＩＬＦ表示器でナビゲーションできる。ＢＩＬＦ表示器が移動モードでなければ表示画像は静止画像であり、アプリケーションのナビゲーションには利用できない。
【００３２】
ステップ４０６でＢＩＬＦ表示器が移動モードであると確認されたら、方法はステップ４１２でリクエストされたズーミングのためにアプリケーションＡＰＩを呼び出す。方法はステップ４１４でＢＩＬＦ表示器にズーム画像をプリント処理し、そこで終了する。移動例においては、ＢＩＬＦ表示器は表示周波数レートでリフレッシュされる。もし方法がステップ４０６でＢＩＬＦ表示器が移動モードではないことを確認すると、方法はステップ４０８でズームバッファからの所望ズームフレームを選択する。前述したようにどのような数のズームフレームでもズームバッファから選択できる（図３参照）。よってズームフレームは本発明の範囲内で連続的あるいは非連続的に選択できる。その後にステップ４１０でズームバッファからの選択ズームフレームがプリント処理され、そこで方法は終了する。選択ズームの表示に加えてズームフレームはＢＩＬＦ表示器に表示されているアプリケーションにユーザが再アクセスすることが必要になるパン処理の特徴をも提供する。
【００３３】
図５は本発明の実施例によるＢＩＬＦ表示器でのパン処理のためのフローチャート５００である。上述のように画像がＢＩＬＦ表示器にプリント処理されると画像は双安定静止画像となる。すなわちプリント処理時には画像は瞬時に捕獲され、ユーザが更新を開始しない限り更新されない。よってパン処理はこの特徴を実現するのに特殊な取り扱いを必要とする。続くステップ５０４で方法はパン処理が必要か否かを確認する。パン処理は本発明の範囲内にてユーザによっていかなる数のよく知られた方法を利用しても開始できる。例えば１実施例では物理的インターフェースまたはバーチャルインターフェースで具現化されるパンボタンがパン入力を提供できる。もし方法がステップ５０４でパン処理が不要であると確認したらそこで方法は終了する。もし方法がステップ５０４でパン処理が必要であると確認したら方法はステップ５０６でＢＩＬＦ表示器が移動モードであるか否かを確認する。移動は図２に関して上記でさらに詳細に説明されている。ＢＩＬＦ表示器が移動モードであるとき表示アプリケーションはＢＩＬＦ表示器でナビゲーションできる。ＢＩＬＦ表示器が移動モードでなければ表示画像は静止画像であり、アプリケーションのナビゲーションには利用できない。
【００３４】
ステップ５０６でＢＩＬＦ表示器が移動モードであることが確認されたら方法はステップ５１８で適当なパン処理のためにアプリケーションＡＰＩを呼び出す。続いてステップ５２０でＢＩＬＦ表示器にパン処理をプリント処理され、そこで方法は終了する。移動例ではその後にＢＩＬＦ表示器は表示頻度にてリフレッシュされる。ステップ５０６でＢＩＬＦ表示器が移動モードではないと確認されると方法はＢＩＬＦ表示器が現在ズームモードであるか否かを確認する。すなわちズームフレームが現在表示されているか否かが確認される。ステップ５０８でＢＩＬＦ表示器がズームモードではないと確認されるとパン画像は得られなくなり、方法はステップ５１８に進行する。ステップ５０８でＢＩＬＦ表示器がズームモードであると確認されるとパン画像が得られるか否かの確認はステップ５１０で行われる。理解されようがズームフレームによってはパン画像を含まない。例えば１００％未満のズームを有するズームフレームはパン画像を全く含まないであろう。ステップ５１０でパン処理が利用できないと確認されたら方法はステップ５１８に進行する。ステップ５１０でパン処理が利用可能であると確認されると方法はズームバッファからの選択パン（すなわちズームフレーム）をプリント処理し、そこで方法は終了する。
【００３５】
図６は本発明の実施例によるＢＩＬＦ表示器でページアップダウンを実行するためのフローチャート６００である。前述のように画像がＢＩＬＦ表示器にプリント処理されると画像は双安定静止画像となる。すなわちプリント処理時には画像は瞬時に捕獲され、ユーザが更新するまで更新されない。よってページングにはこの特徴を実施するために特殊な操作を必要とする。ステップ６０２で画像はＢＩＬＦ表示器に表示される。続くステップ６０４で方法はページングが必要か否かを確認する。ページングは本発明の範囲内にてユーザによりいかなる知られた技術にても実行可能である。例えば１実施例においては物理的インターフェースまたはバーチャルインターフェースで具現化されたページングボタンがページ入力を提供することができる。ステップ６０４でページングが必要ではないと確認されたらそこで方法は終了する。ステップ６０４でページングが必要であると確認されると方法はステップ６０６でＢＩＬＤ表示器が移動モードであるか否かを確認する。移動は図２に関して詳細に前述されている。ＢＩＬＦ表示器が移動モードであるとき表示されているアプリケーションはＢＩＬＦ表示器でナビゲーションできる。ＢＩＬＦ表示器が移動モードでなければ表示画像は静止画像であり、アプリケーションのナビゲーションには利用できない。
【００３６】
ステップ６０６でＢＩＬＦ表示器が移動モードであると確認されると方法はステップ６１２でリクエストされたページ（すなわち次ページ／最終ページ）のためにアプリケーションＡＰＩを呼び出す。方法はステップ６１４でＢＩＬＦ表示器にページをプリント処理し、そこで方法は終了する。移動モード例ではＢＩＬＦ表示器は表示頻度でリフレッシュされる。ステップ６０６でＢＩＬＦ表示器が移動モードではないと確認されたら方法はステップ６０８でリクエストされたページがフレームバッファに存在するか否かを確認する。前述のようにフレームバッファはいくつかのフレームの保存に利用できる。ユーザは表示のためにフレームバッファに保存されたフレームにアクセスできる。ステップ６０８でリクエストされたページがフレームバッファ内には存在しないと確認されたら方法はステップ６１２に進行する。ステップ６０８でリクエストされたページがフレームバッファ内に存在すると確認されると方法はステップ６１０でフレームバッファからのリクエストされたページをプリント処理する。
【００３７】
図７は本発明の実施例によるＢＩＬＦ表示器で画像をフリップ処理するためのフローチャートである。前述のように画像がＢＩＬＦ表示器にプリント処理されると画像は双安定静止画像となる。すなわちプリント処理時に画像は瞬時に捕獲され、ユーザが更新しない限り更新されない。よってフリップ処理はこの特徴を実行するために特殊な取り扱いを必要とする。ステップ７０２で画像はＢＩＬＦ表示器に表示される。次のステップ７０４で方法はフリップ処理が必要か否かを確認する。フリップ処理は本発明の範囲内でユーザによってどのような数の知られた方法によっても実行可能である。例えば１実施例では物理的インターフェースまたはバーチャルインターフェースで具現化されたフリップ処理ボタンがフリップ処理入力を提供する。実施例によっては、フリップ処理は特定画面位置に対応するよう自動化できる。方法がステップ７０４でフリップ処理が不要であると確認したら、そこで方法は終了する。方法がステップ７０４でフリップ処理が必要であると確認したら方法はステップ７０６でＢＩＬＦ表示器が移動モード７０６であるか否かを確認する。移動は図２に関して詳述している。ＢＩＬＦ表示器が移動モードであるとき表示されたアプリケーションはＢＩＬＦ表示器でナビゲーションできる。ＢＩＬＦ表示器が移動モードではないとき表示画像は静止画像であり、アプリケーションのナビゲーションには利用できない。
【００３８】
ステップ７０６でＢＩＬＦ表示器が移動モードであると確認されると方法はフリップ処理されたページのためにステップ７１２でアプリケーションＡＰＩを呼び出す。方法はステップ７１４でＢＩＬＦ表示器にフリップ処理されたページをプリント処理し、そこで終了する。移動例ではＢＩＬＦ表示器は表示頻度でリフレッシュされる。ステップ７０６でＢＩＬＦ表示器が移動モードではないと確認されたら方法はステップ７０８で現行フレームをフリップ処理して現行フレームのフリップ処理されたフレームをフリップバッファにローディング処理する。実施例によってはフリップ処理されたフレームはフレームバッファにローディング処理される。方法はステップ７１０でフリップバッファからのフリップ処理されたフレームをプリント処理し、そこで終了する。フレームのフリップ処理はポータブルな電子機器では有利であろう。例えば機器は約３６０°までの幾つかの位置で開くことができ、相補性の表示器での画像フリップ処理はさらに便利なユーザ実感を提供できる。
【００３９】
図８は本発明の実施例によるいくつかの人工現象物を有した電子ペーパ表示器（ＥＰＤ）８００の一部を図示する。ＥＰＤは電子インクと呼ばれる物質を利用し、Ｅ ＩＮＫ（登録商標）として商業的に入手できる。電子インクは人毛径サイズの何百万もの微小マクロカプセル８２０Ａと８０２Ｂを含む。この例では各マイクロカプセル８２０Ａと８２０Ｂは正荷電した白色粒子８２４Ａと８２４Ｂおよび負荷電した黒色粒子８２２Ａと８２２Ｂが透明液８２６Ａと８２６Ｂ内に縣濁されている。上部電極８０４と下部電極８０８に負電界が印加されると正荷電白色粒子８２４Ａはマイクロカプセル８２０Ａ上に移動し、ユーザにより観察可能になる。これでそこの表面が白色となる。同時に反対電界８１２は負荷電黒色粒子８２２Ａをマイクロカプセル８２０Ａの下部に引きつけ、それらを隠す。この現象を逆転させ、正電界を上部電極８０４と下部電極８０８に適用すると、負荷電黒色粒子８２２Ｂがマイクロカプセル８２０Ｂの上部に現れる。これでそこの表面が暗くなる。同時に反対電界８１０が正荷電白色粒子８２４Ｂをマイクロカプセル８２０Ｂの下部に引きつけ、それらを隠す。時には人工現象物８２８Ａと８２８Ｂは荷電粒子８２４Ａおよび８２２Ｂと混合される。これら人工現象物は画像にゴースト現象を引き起こし、画像の判読を困難または不可能にする。人工現象物を排除するため、表示画像をリフレッシュすることで画像をクリーニングすることができる。
【００４０】
図９は本発明の実施例によるＢＩＬＦ表示器上で人工現象物をクリーニングするためのフローチャート９００である。ステップ９０２で自動クリーニングがイネーブル化されているか否かが確認される。方法がステップ９０２で自動クリーニングがイネーブル化されていることを確認すると、方法は各新規のプリントフレームをリフレッシュする。実施例によってはプリントフレーム（すなわち画面）のリフレッシュはユーザに対しては透明である。すなわち実施例によっては画面のリフレッシュは画像がリフレッシュされる前にクリア状態にしないかも知れない。この例ではユーザはリフレッシュよって表示画像に少々の歪みのみを実感するかも知れない。その他には鑑賞には影響が及ばない。他の実施例では画面はリフレッシュ前にクリア可能である。その後、方法はステップ９０６に進行する。ステップ９０２で自動クリーニングがイネーブル化されていないと確認されたら方法はステップ９０６に進行してユーザ開始クリーニングがリクエストされているか否かを確認する。実施例によっては、ユーザは人工現象物が判読困難にしている場所のクリーニングをリクエストする。クリーニングは本発明の範囲内でユーザによっていくつかの知られているどの方法にても開始可能である。例えば１実施例では物理的インターフェースまたはバーチャルインターフェースで具現化されたクリーニングボタンがクリーニング入力を提供できる。ステップ９０６でユーザクリーニングがリクエストされていると確認されると方法はステップ９０８で表示フレームをリフレッシュし、そこで終了する。前述のように実施例によってはプリントフレームのリフレッシュはユーザに対して透明である。すなわち実施例によっては画面のリフレッシュは画像がリフレッシュされる前に画面をクリアにしない。この実施例ではユーザはリフレッシュにより表示画像の少々の歪みを実感するであろう。その他では鑑賞は影響を受けないであろう。実施例によっては、画面はリフレッシュ前にクリアできる。ステップ９０６でユーザクリーニングがリクエストされていないと確認されたらそこで方法は終了する。
【００４１】
図１０は本発明の実施例によるＢＩＬＦ表示器に関して利用されるＲＥＨＦ表示器のサイクル処理のためのフローチャート１０００である。ＢＩＬＦ表示器によってはいくらかの電力消費抑制効果があるので大量の電力を消費するＲＨＨＦ表示器をサイクルダウン処理（切断）することは有用であろう。よって本発明の範囲内でＲＥＨＦ表示器のサイクル処理は自動化またはユーザ開始式とすることができる。よってステップ１００２で自動サイクル処理がイネーブル化されているか否かが確認される。ステップ１００２で自動サイクル処理がイネーブル化されていることが確認されたら方法はステップ１００４でタイマが超過しているか否かを確認する。実施例によっては、タイマは１秒から１０秒の範囲でセットされる。他の実施例ではタイマは１０秒を超えてセットされる。ステップ１００４でタイマが超過していないと確認されると方法はステップ１００６に移行して再開し、ステップ１００４に移行する。ステップ１００４でタイマが超過したことが確認されると方法はステップ１０１０に移行し、ＲＥＨＦ表示器をサイクルダウン処理する。ステップ１００２で自動サイクル処理がイネーブル化されていないことが確認されると方法はステップ１００８に移り、ユーザ開始サイクルダウン処理がリクエストされているか否かが確認される。サイクルダウン処理は本発明の範囲内でどのような数の知られた方法でも実行可能である。例えば１実施例では物理的インターフェースまたはバーチャルインターフェースで具現化されたサイクルダウンボタンがサイクルダウン処理入力を提供することができる。ステップ１００８でユーザ開始サイクルダウン処理がリクエストされていないことが確認されると方法はステップ１００６で作業を再開する。ステップ１００８でユーザ開始サイクルダウン処理がリクエストされていることが確認されると方法はステップ１０１０に進行し、ＲＥＨＦ表示器をサイクルダウン処理する。
【００４２】
ＲＥＨＦ表示器がサイクルダウン処理されるとユーザは相補性ＢＩＬＦ表示器を鑑賞できる。前述のようにＢＩＬＦ表示器にはできないアプリケーションナビゲーションの特徴を必要とする操作もあろう。これは特にＢＩＬＦ表示器が移動モードでないときに真実である。移動は図２に関して詳細に上述した。そのような操作が発生するとＲＥＨＦ表示器はサイクルアップ処理できるであろう。よってステップ１０１２で方法はＲＥＨＦ表示器のサイクルアップ処理を必要とするユーザイベントを待つ。ステップ１０１４でＲＥＨＦ表示器のサイクルアップ処理を必要とするユーザイベントが発生したか否かが確認される。ステップ１０１４で方法が当該ユーザイベントの発生が確認されたら方法はステップ１０１６でＲＥＨＦ表示器をサイクルアップ処理し、そこで方法は終了する。ステップ１０１４で当該ユーザイベントが発生しなかったと確認されたら方法はステップ１０１２に戻り、当該ユーザイベントを待つ。
【００４３】
実施例によっては表示器のワイピング処理が望ましい。繊細な情報が観られている例ではＢＩＬＦ ＥＰＤ等の半永久表示器を素早くワイピングする能力は望ましいものである。ワイピング処理は本発明の範囲内でどのような数の知られた方法によってもユーザにより実行可能である。例えば１実施例では物理的インターフェースまたはバーチャルインターフェースで具現化されたワイピングボタンがワイピング処理入力を提供できる。ワイピング処理後にＢＩＬＦは適当なバッファから復活できる。
【００４４】
実施例によっては、ＢＩＬＦ表示器は状況情報の提供に使用される。典型的には状況情報は高周波リフレッシュレートを必要としない。なぜなら表示される情報は読み取り専用であり、高レートでは変化しないからである。よって状況情報は電力供給の過度な負担無しで継続的に表示できる。従って実施例によっては電力情報、ネットワーク接続情報、信号強度情報、ユーザ形態情報、表示見張り情報、日付情報、時間情報、アプリケーション情報およびシステム情報等の状況情報はＢＩＬＦ表示器に表示可能である。
【００４５】
本発明をいくつかの実施例を利用して説明したが、本発明の範囲内での変更、置換および均等物は存在する。本発明の方法および装置の多くの別実施形態も存在する。多くの実施例が提示されているが、それらは本発明を説明するためであり、本発明の限定は意図されない。例えば図１のステップ１１２、１１４および１１６は特定の順序で提示されているが、これらステップは順序を変えても実施できることは理解されよう。その順序変更は発明を限定しない。加えて要約は本発明の理解のために提供されており、本発明の解釈および限定のために利用されるべきではない。「請求の範囲」は本発明の精神とスコープ内のそれら全ての変更、置換および均等物を含むものである。
【図１】
2010504540.tif 000003
【図２】
2010504540.tif 000004
【図３】
2010504540.tif 000005
【図４】
2010504540.tif 000006
【図５】
2010504540.tif 000007
【図６】
2010504540.tif 000008
【図７】
2010504540.tif 000009
【図８】
2010504540.tif 000010
【図９】
2010504540.tif 000011
【図１０】
2010504540.tif 000012
【国際調査報告】
2010504540.tif 000013